(57)【要約】【課題】工事現場など各種作業現場で用いられる敷板を省力・短時間で効率よく洗浄することを可能にし、低コストで製造可能な洗浄機を提供する。【解決手段】本発明の敷板用洗浄機は、洗浄対象である敷板の移動を可能にする第１のローラーコンベアと、前記敷板の移動を可能にする第２のローラーコンベアと、第１のローラーコンベアから第２のローラーコンベアに向かう経路の途中に設けられた洗浄液噴射装置と、を具備する。第１のローラーコンベアと第２のローラーコンベアは、その一方から他方へ敷板を移動できるように設けられている。また、第２のローラーコンベアは、敷板を載せた状態で該敷板とともに一体回転できるように設けられている。【選択図】図３
2019198870.tif 000002
【特許請求の範囲】
【請求項１】
洗浄対象である敷板の移動を可能にする第１の移動手段と、
前記敷板の移動を可能にする第２の移動手段と、
第１の移動手段から第２の移動手段に向かう経路の途中に設けられた洗浄液噴射手段と、を具備する敷板用洗浄機。
【請求項２】
前記第１の移動手段と前記第２の移動手段の一方から他方へ敷板を移動できるように、該移動手段がそれぞれ設けられている、ことを特徴とする請求項１に記載の敷板用洗浄機。
【請求項３】
前記第２の移動手段は、敷板とともに回転できるように設けられている、ことを特徴とする請求項１又は２に記載の敷板用洗浄機。
【請求項４】
前記第２の移動手段は、敷板を載せた状態で該敷板をひっくり返すことができるように設けられている、ことを特徴とする請求項１乃至３の何れかに記載の敷板用洗浄機。
【請求項５】
前記第２の移動手段は、敷板移動方向の軸を回転軸として、回転可能に設けられている、ことを特徴とする請求項３に記載の敷板用洗浄機。
【請求項６】
前記第２の移動手段は、敷板移動方向に対して交差する方向の軸を回転軸として、回転可能に設けられている、ことを特徴とする請求項３に記載の敷板用洗浄機。
【請求項７】
前記第２の移動手段の回転が不要なときにその回転を妨げるための回転防止部材を具備する、ことを特徴とする請求項３に記載の敷板用洗浄機。
【請求項８】
前記第２の移動手段は、
前記敷板の底面側と対向するように設けられた複数の底面側ローラーと、
前記敷板の上面側と対向するように設けられた複数の上面側ローラーと、
前記底面側ローラーと前記上面側ローラーとの間に位置し、前記敷板を進入させるためのスペースと、を含んで構成されていることを特徴とする請求項１乃至３の何れかに記載の敷板用洗浄機。
【請求項９】
前記上面側ローラーおよび前記底面側ローラーはそれぞれ、敷板を支えることができるように設けられている、ことを特徴とする請求項８に記載の敷板用洗浄機。
【請求項１０】
前記第１の移動手段は、複数のローラーを含んで構成され、
前記複数のローラーは、外側フレームに対して回転自在に設けられている、
ことを特徴とする請求項１乃至３の何れかに記載の敷板用洗浄機。
【請求項１１】
前記第２の移動手段は、内側フレームと、該内側フレームに対して回転自在に設けられた複数のローラーと、を含んで構成され、
前記内側フレームは、外側フレームに対して回転自在に設けられている、
ことを特徴とする請求項１乃至３の何れかに記載の敷板用洗浄機。
【請求項１２】
前記洗浄液噴射手段は、前記敷板の上面側と底面側の何れか一方または双方に対して洗浄液を噴射するための噴射ノズルを含んで構成されている、ことを特徴とする請求項１乃至３の何れかに記載の敷板用洗浄機。
【請求項１３】
前記噴射ノズルは、洗浄液の噴射圧力や噴射範囲を調節できるように構成されている、ことを特徴とする請求項１２に記載の敷板用洗浄機。
【請求項１４】
前記敷板の任意の位置に洗浄液を噴射することができるように、前記洗浄液噴射手段は移動可能に設けられている、ことを特徴とする請求項１２に記載の敷板用洗浄機。
【請求項１５】
前記敷板の任意の位置に洗浄液を噴射することができるように、前記ノズルは移動可能に設けられている、ことを特徴とする請求項１２に記載の敷板用洗浄機。
【請求項１６】
請求項１〜１５の何れかに記載の洗浄機を用いた敷板の洗浄方法であって、
洗浄対象である敷板を第１の移動手段に載せる工程と、
敷板を第１の移動手段から第２の移動手段に向かって移動させる工程と、
敷板の移動途中、移動前、移動後の少なくとも何れかのタイミングで、洗浄液噴射手段により敷板の片面または両面を洗浄する工程と、
第２の移動手段に至った敷板の上下方向の向きが、予め定めた向きと一致する場合に、該敷板を第２の移動手段から降ろす工程と、
を含むことを特徴とする敷板の洗浄方法。
【請求項１７】
敷板の洗浄すべき部位に向かって洗浄液噴射手段を移動させる工程を、更に含むことを特徴とする請求項１６に記載の敷板の洗浄方法。
【請求項１８】
敷板の洗浄すべき部位に向かって洗浄液噴射手段のノズルを移動させる工程を、更に含むことを特徴とする請求項１６に記載の敷板の洗浄方法。
【請求項１９】
第２の移動手段と敷板とを一体的に回転させる工程を、更に含むことを特徴とする請求項１６に記載の敷板の洗浄方法。
【請求項２０】
第２の移動手段に至った敷板の表裏の向きが、予め定めた向きと一致しない場合に、該第２の移動手段を回転させて敷板を反転させる工程を、更に含むことを特徴とする請求項１６に記載の敷板の洗浄方法。
【請求項２１】
第２の移動手段を回転させることによって敷板を反転させ、該敷板の反対面の洗浄具合を確認する工程を、更に含むことを特徴とする請求項１６に記載の敷板の洗浄方法。
【発明の詳細な説明】
【技術分野】
【０００１】
本発明は、敷板用洗浄機および敷板の洗浄方法に関するものである。
【背景技術】
【０００２】
図１及び図２に示すようなプラスチック製の敷板が本願出願人によって提供されている。このプラスチック製の敷板は、例えば、ぬかるんだ軟弱な地面などに敷くだけで、トラックなどの車両が自由に通行できるようになるといった特徴を有しており、工事現場などの作業現場に欠かせない必須のアイテムとなっている。
【発明の概要】
【発明が解決しようとする課題】
【０００３】
この敷板は、通常、工事現場等での使用後に回収し、洗浄した後に再利用されるが、工事現場等で敷かれて泥まみれになって帰ってきた大量の敷板の洗浄が問題となっている。
【０００４】
工事現場等で用いられる敷板のほとんどは大サイズ・大重量であり、例えば、１枚39キロ、長さ2.4メートルといった敷板が広く用いられている。この大サイズ・大重量の敷板を、従来では１枚１枚、表裏と人力でひっくりかえして洗浄しているため、洗浄にかかる時間や人件費のほか、作業員の腰痛など健康面でも問題があった。
【０００５】
このような問題点を解決すべく、洗浄機の開発が試みられているが、いまだかつてどの企業も、コストパフォーマンスにすぐれた洗浄機を開発できていない。
【０００６】
そこで、上述した問題点に鑑み、本発明の目的は、工事現場などの各種作業現場で用いられる敷板を省力・短時間で効率よく洗浄することを可能にする洗浄機であって、低コストで製造可能な洗浄機を提供することにある。
また、本発明の他の目的は、工事現場などの各種作業現場で用いられる敷板を省力・短時間で洗浄することを可能にする敷板洗浄方法を提供することにある。
【課題を解決するための手段】
【０００７】
上記目的は、洗浄対象である敷板を移動可能にする第１の移動手段と、前記敷板を移動可能にする第２の移動手段と、第１の移動手段から第２の移動手段に向かう経路の途中に設けられた洗浄液噴射手段と、を具備する敷板用洗浄機によって達成される。
【発明の効果】
【０００８】
＜第２のローラーコンベアを回転可能にすることの効果＞
第２のローラーコンベアとともに敷板を一体回転させることで、敷板洗浄後の水切りが容易になる。なお、従来方法による洗浄の場合、洗浄時の汚水が敷板の上に貯まってしまうという問題がある。
また、第２のローラーコンベアとともに敷板を反転させる（ひっくり返す）ことで、敷板の下面側の洗浄結果・洗浄具合を容易に確認できる。なお、従来方法による洗浄の場合、大重量・大サイズの敷板を人力だけでひっくり返すので、洗浄時の安全性・作業性に問題がある。
また、洗浄後の敷板をパレットに積み重ねる際に、（たとえば敷板すべて山型模様の面を下にするなど）敷板の表面と裏面の向きを統一することが容易になり、その結果、洗浄後すぐにレンタルもしくは収納できる。なお、敷板を現場ですぐに敷設できるように、敷板の表裏の向きを予め統一した状態で提供することが強く求められている。
【０００９】
＜キャスターにより洗浄液噴射装置を移動可能にすることの効果＞
キャスターなどの移動手段を設けた事で洗浄機のどこでも洗浄液噴射装置の移動が可能になり、敷板の一部分のみを集中的に洗いたい様な場合でも簡単かつ迅速に対応できる。
また、裏面を確認して汚れが取れていない部分があった場合、洗浄液噴射装置を移動できるのでいちいち重い敷板を移動させる必要がないので、効率的な洗浄が可能になる。
【００１０】
＜噴射ノズルを移動可能にすることの効果＞
ノズルが動くことによって少ないノズル数で全面を洗浄できるので、使用水量が減る。したがって、省資源・低コストでの洗浄が可能になる。
また、敷板洗浄の際の使用水量を減らすことで、レンタル会社などが所有する一般的なポンプが利用できる。
また、裏面を確認して汚れが取れていない部分があった場合、ノズルを移動できるのでいちいち重い敷板を移動させる必要がない。
【００１１】
＜回転調節式ノズルを採用することの効果＞
回転ノズルを使うと噴射範囲が広がるので効率的な洗浄ができることになり、その結果装備すべきノズルの数を減らすことができ、結果的に洗浄に必要となる水量を軽減できる。
【図面の簡単な説明】
【００１２】
【図１】本発明を利用して洗浄する敷板の一例を示す図である。
【図２】本発明を利用して洗浄する敷板の一例を示す図である。
【図３】本発明の第１実施形態に係る敷板用洗浄機の概略構成を示す図である。
【図４】本発明の第１実施形態に係る敷板用洗浄機の特徴を示す図である。
【図５】図４に示す敷板用洗浄機を用いた敷板洗浄方法の概要を示す図である。
【図６】本発明の第２実施形態に係る敷板用洗浄機の特徴を示す図である。
【図７】図６に示す敷板用洗浄機を用いた敷板洗浄方法の概要を示す図である。
【発明を実施するための形態】
【００１３】
（添付図面が示す特徴の概要）
はじめに、添付図面に示された敷板用洗浄機の主な特徴について説明する。
図３には、本発明の第１実施形態に係る敷板用洗浄機の構成が示されている。また、図４及び図５には、主として次の特徴が記載されている。
【００１４】
＜第２のローラーコンベアを回転可能にする特徴＞
図４(a)は、第２のローラーコンベア（第２の移動手段／搬送手段）の全体が、軸を中心に回転する仕組みを示している。
図４(b)は、上部ローラー（上面側ローラー）と下部ローラー（底面側ローラー）の間にプラスチック敷板をすべりこませる様子を示している。
図４(c)は、第２のローラーコンベアが使用していない時に回転しないよう、安全のための留具（回転防止部材）を具備する事を示している。
【００１５】
＜キャスターにより洗浄液噴射装置を移動可能にする特徴＞
図４(d)は、噴射ノズルが設けられたアーチ部の両端の脚部下端に、キャスターを設けた事を示している。このキャスターにより洗浄液噴射装置が、敷板の移動方向（敷板縦方向）に沿って移動可能になる。洗浄液噴射装置の移動方法は、手動でもよく電動でもよい。
【００１６】
＜噴射ノズルを移動可能にする特徴＞
図４(e)は、アーチ部に取り付けた噴射ノズルそのものが、矢印の方向（敷板横方向）に沿って移動することを示している。噴射ノズルの移動方法は、手動でもよく電動でもよい。
【００１７】
＜回転調節式ノズルに関する特徴＞
図４(f)は、回転調節式ノズルからなる噴射ノズルを示している。このような回転調節式ノズルを洗浄液噴射装置に採用することで、噴射範囲が広がり効率的な洗浄ができる。
【００１８】
以下、添付図面に基づいて本発明の具体的実施形態について説明する。
【００１９】
（敷板用洗浄機の構成）
本発明の敷板用洗浄機は、例えば図１や図２に示されるようなプラスチック製の敷板の洗浄に用いられる。なお、本発明の洗浄機による洗浄対象は、必ずしもプラスチック製の敷板に限定されず、その他の材料からなる敷板の洗浄にも適用することができる。
【００２０】
この敷板用洗浄機は、図３及び図４に示すとおり、
・  複数の脚部を具備する外側フレームと、
・  敷板の移動を可能にする第１のローラーコンベア（第１の移動手段／搬送手段）と、
・  敷板の移動を可能にする第２のローラーコンベア（第２の移動手段／搬送手段）と、
・  第１のローラーコンベアから第２のローラーコンベアに向かう経路の途中に設けられた上下の洗浄液噴射装置（洗浄液噴射手段）と、
・  移動可能に設けられた上側の洗浄液噴射装置をガイドするガイド部材と、
を具備する。
【００２１】
矩形の外側フレームは６本の脚部を有している。第１のローラーコンベアと第２のローラーコンベアは、この外側フレームの内側に設けられている。
【００２２】
第１のローラーコンベアと第２のローラーコンベアは、図５に示すとおり、該ローラーコンベアの一方から他方へ敷板を、滑らせるような感じで移動（搬送）できるように設けられている。また、第１のローラーコンベアと第２のローラーコンベアとの間には、間隙が設けられている。これにより、下側の洗浄液噴射装置から噴射される洗浄液によって、洗浄対象の敷板の下面側を洗い流すことができる。
【００２３】
なお、本実施形態では、敷板移動手段の一例としてローラーコンベアを挙げているが、移動手段としてベルトコンベアを採用してもよく、その他、敷板を滑動させることが可能なあらゆる手段（例えば単なる格子状構造や梯子状構造の部材なども可）を採用することも可能である。また、敷板移動手段を利用した敷板の移動は、本実施形態のような手動（手押し）でもよく、あるいは自動（ローラの電動回転）でもよい。
【００２４】
敷板移動手段である第１のローラーコンベアは、図３及び図４の右側に示すとおり複数のローラーを含んで構成され、これらのローラーは、外側フレームに対して回転自在に設けられている。この第１のローラーコンベアの上に敷板を載せると、該敷板を滑らせるように簡単に移動させることができる。
【００２５】
敷板移動手段である第２のローラーコンベアはその全体が、敷板移動方向の軸を回転軸として、３６０°または１８０°自在回転できるように設けられている。また、第２のローラーコンベアは、敷板を載せた状態で該敷板を落下させることなく反転できるように構成されている。つまり、第２のローラーコンベアは、敷板を抱きかかえたような状態で該敷板とともに一体回転するように構成されている。したがって本発明によれば、敷板を洗浄機に敷板を載せたままの状態で、該敷板を回転させたり、ひっくり返したりすることが可能になる。
なお、第２のローラーコンベアの回転方向は、必ずしも図示するような方向に限定されず、例えば、敷板移動方向に対して交差する方向の軸を回転軸として、回転可能にすることも可能である。
【００２６】
第２のローラーコンベアは、内側フレームと、該内側フレームに対して回転自在に設けられた複数のローラーと、第２のローラーコンベア全体を回転させるための回転軸とを含んで構成されている。内側フレームは、外側フレームに対して回転自在に設けられている。つまり、外側フレームは、第２のローラーコンベアの内側フレームを回転自在に支えている。
【００２７】
第２のローラーコンベアの内側フレームには、図３及び図４に示すとおり、
敷板の底面側と対向するように設けられた複数の下部ローラー（底面側ローラー）と、
敷板の上面側と対向するように設けられた複数の上部ローラー（上面側ローラー）と、
が回転自在に設けられている。
そして、下部ローラーと上部ローラーとの間には、敷板を滑り込ませるように進入させるためのスペースが確保されている。このスペースには、第１のローラーコンベアから移動してきた敷板の全体を収容することが可能である。
【００２８】
上部ローラーと下部ローラーはそれぞれ、敷板を支えることができるように設けられている。図示する状態で、上部ローラー・下部ローラーの間のスペースに敷板を滑り込ませると、下部ローラーが敷板を移動可能に支える。この状態から第２のローラーコンベアを反転（敷板とともに一体回転）させると、上部ローラーが下側にきて敷板を支えることになる。
【００２９】
第２のローラーコンベアの側には、図３及び図４に示すとおり、洗浄時の安全性を確保するための留具（回転防止部材）が設けられている。この留具は、第２のローラーコンベアの回転が不要なときに、内側フレームと外側フレームの双方を貫通するように取り付けられる。これにより、第２のローラーコンベアの回転が不要なときにその回転を妨げることができる。一方、第２のローラーコンベアの回転が必要なときには、図示する状態から留具を引き抜いて、内側フレームが自在に回転できるようにする。
【００３０】
上側の洗浄液噴射装置は、図３及び図４に示すとおり、
・  洗浄液を噴射するための噴射ノズルと、
・  噴射ノズルが取り付けられる略コ字状のアーチ部と、
・  このアーチ部の両端にある脚部下端に設けられたキャスター（移動手段）と、
を具備している。
【００３１】
下側の洗浄液噴射装置は、
・  洗浄液を噴射するための噴射ノズルと、
・  噴射ノズルが取り付けられるステーと、
を具備している。
【００３２】
上下の噴射ノズルは、敷板の上面側と底面側に対して洗浄液を噴射する役割を担っている。なお本発明において、噴射ノズルは、図３及び図４に示すように必ずしも上下両方に設ける必要はなく、上下の一方にのみ噴射ノズルを設ける態様も採用可能である。
【００３３】
アーチ部の脚部下端に設けられたキャスターは、図３及び図４の矢印に示すように、上側の洗浄液噴射装置を敷板縦方向に沿って移動可能にする役割を担っている。これにより、上側の洗浄液噴射装置を自在に動かすことが可能になり、（敷板を動かすことなく）敷板上面側の任意の位置に対して洗浄液を噴射することができる。
【００３４】
外側フレームの長手側（長いフレーム部分の両側）の上面には、ガイド部材が設けられている。このガイド部材をフレーム上面に立設することで、該フレームの上面が上側洗浄液噴射装置のガイドレールとして機能するようになる。つまり、上側の洗浄液噴射装置は、ガイド部材に沿って、外側フレームの上を移動することができる。
【００３５】
また、洗浄液噴射装置が具備するノズルは、図３及び図４の矢印に示すように、敷板の任意の位置に洗浄液を噴射することができるように、敷板横方向に沿って移動可能に設けられている。
【００３６】
また、上下の噴射ノズルは回転調節式のノズルで構成され、洗浄液の噴射圧力や噴射圧力を自在に調節できるように設けられている。この回転式ノズルを採用することで、例えば、噴射圧力が高まってより広範囲に洗浄液を噴射することが可能になる。
【００３７】
各噴射ノズルにはホースが接続されており、またこのホースは、洗浄液圧送用のポンプに接続されている。
【００３８】
（敷板用洗浄機を使った敷板洗浄方法）
上記構成の敷板用洗浄機を使った敷板洗浄方法は、図５に概略的に示されている。
【００３９】
本発明の敷板洗浄方法は、主として、次の各工程を含んでいる。
（１）工事現場等で使用され回収されてきた汚れた敷板（洗浄対象）を、第１のローラーコンベアに載せる工程。なお、泥などが付着して汚れた敷板は、表面と裏面が不統一で返却されるのが通常である。
（２）敷板を第１のローラーコンベアから第２のローラーコンベアに向かって移動させる工程。なお、本実施形態では、ローラーコンベアの上に載せた敷板を手で押して移動させる。
（３）敷板の移動途中、移動前、移動後の少なくとも何れかのタイミングで、洗浄液噴射手段により敷板の片面または両面を洗浄する工程。なお、図５では、敷板の移動途中で洗浄する様子が例示的に示されている。洗浄液には、水のほか、洗浄剤を含んだ水を利用することができる。
（４）洗浄液噴射手段により洗浄された敷板を、第２のローラーコンベアの上部ローラー・下部ローラーの間にすべり込ませる工程。
（５）敷板に付着した洗浄液が除去されるように、第２のローラーコンベアとともに敷板を一体回転させる工程。
（６）第２のローラーコンベアに至った敷板の上下方向の向き（表裏の向き）が、予め定めた向きと一致する場合に、該敷板を第２のローラーコンベアから降ろして、トレーに積み上げる工程。
【００４０】
また、第２のローラーコンベアに至った敷板の表裏の向きが、予め定めた向きと一致しない場合に、該第２のローラーコンベアを回転させて敷板を反転させることも可能である。
【００４１】
また、第２のローラーコンベアを回転させることによって敷板を反転させ、該敷板の反対面の洗浄具合を確認することも可能である。
【００４２】
また、敷板の洗浄すべき部位に向かって洗浄液噴射装置を移動させることも可能である。
【００４３】
また、敷板の洗浄すべき部位に向かって洗浄液噴射装置のノズルを移動させることも可能である。
【００４４】
なお、本実施形態では、上下の両方に洗浄液噴射装置を設けて、敷板の両面を同時に洗浄しているが、洗浄液噴射装置を上下の一方だけに設けて、敷板の片側だけを洗浄することも可能である。
【００４５】
（本発明の効果）
上述した本発明によれば、例えば次のような格別の効果が達成される。
【００４６】
＜第２のローラーコンベアを回転可能にすることの効果＞
第２のローラーコンベアとともに敷板を一体回転させることで、敷板洗浄後の水切りが容易になる。なお、従来方法による洗浄の場合、洗浄時の汚水が敷板の上に貯まってしまうという問題がある。
また、第２のローラーコンベアとともに敷板を反転させる（ひっくり返す）ことで、敷板の下面側の洗浄結果・洗浄具合を容易に確認できる。なお、従来方法による洗浄の場合、大重量・大サイズの敷板を人力で持ち上げてひっくり返すので、洗浄時の安全性・作業性に問題がある。
また、洗浄後の敷板をパレットに積み重ねる際に、（たとえば敷板すべて山型模様の面を下にするなど）敷板の表面と裏面の向きを統一することが容易になり、その結果、洗浄後すぐにレンタルもしくは収納できる。なお、敷板を現場ですぐに敷設できるように、敷板の表裏の向きを予め統一した状態で提供することが強く求められている。
【００４７】
＜キャスターにより洗浄液噴射装置を移動可能にすることの効果＞
キャスターなどの移動手段を設けた事で洗浄機のどこでも洗浄液噴射装置の移動が可能になり、敷板の一部分のみを集中的に洗いたい様な場合でも簡単かつ迅速に対応できる。
また、裏面を確認して汚れが取れていない部分があった場合、洗浄液噴射装置を移動できるのでいちいち重い敷板を移動させる必要がないので、効率的な洗浄が可能になる。
【００４８】
＜噴射ノズルを移動可能にすることの効果＞
ノズルが動くことによって、少ないノズル数で全面を洗浄できるので、使用水量が減る。したがって、省資源・低コストでの洗浄が可能になる。
また、敷板洗浄の際の使用水量を減らすことで、レンタル会社などが所有する一般的なポンプが利用できる。
また、裏面を確認して汚れが取れていない部分があった場合、ノズルを移動できるのでいちいち重い敷板を移動させる必要がない。
【００４９】
＜回転調節式ノズルを採用することの効果＞
回転ノズルを使うと噴射範囲が広がるので、効率的な洗浄ができることになり、その結果装備すべきノズルの数を減らすことができ、結果的に洗浄に必要となる水量を軽減できる。
【００５０】
（むすび）
特許請求の範囲の記載の本発明は、上述した実施形態に限定されるものではなく、他の実施形態を採用することも可能である。例えば、上述した第１実施形態の洗浄機を簡素化し、図６及び図７に示すような構成とすることも可能である。つまり、図６や図７に示すような実施形態も本発明の技術的範囲に属するものである。
【図１】
2019198870.tif 000003
【図２】
2019198870.tif 000004
【図３】
2019198870.tif 000005
【図４】
2019198870.tif 000006
【図５】
2019198870.tif 000007
【図６】
2019198870.tif 000008
【図７】
2019198870.tif 000009
【手続補正書】
【提出日】令和1年9月29日(2019.9.29)
【手続補正１】
【補正対象書類名】特許請求の範囲
【補正対象項目名】全文
【補正方法】変更
【補正の内容】
【特許請求の範囲】
【請求項１】
洗浄対象である敷板を第１の移動手段に載せる工程と、
敷板の洗浄すべき部位に向かって洗浄液噴射手段を移動させる工程と、
敷板を第１の移動手段から第２の移動手段に向かって移動させる工程と、
敷板の移動途中、移動前、移動後の少なくとも何れかのタイミングで、洗浄液噴射手段により敷板の片面または両面を洗浄する工程と、
第２の移動手段に至った敷板の上下方向の向きが、予め定めた向きと一致する場合に、該敷板を第２の移動手段から降ろす工程と、
を含むことを特徴とする敷板の洗浄方法。